(57)【要約】【課題】カメラによる監視を広範囲に亘って正確に行なうことができ、しかも低コストでそのシステムの構築を可能にしたカメラを用いた監視システムを提供すること。【解決手段】本発明の監視システムは、カメラの撮影によって取得された映像信号をネットワークに接続された複合機に供給するための供給手段（例えば、ケーブル３０）と、前記複合機に供給された前記映像信号を画像データに変換して前記ネットワークを介してホストコンピュータに伝送する制御手段（例えば、制御部２０５）と、を備えて構成する。【選択図】図１
2007124265.tif 000002
【特許請求の範囲】
【請求項１】
カメラによる撮影によって取得された映像信号をネットワークに接続された複合機に供給するための供給手段と、
前記複合機に供給された前記映像信号を画像データに変換して前記ネットワークを介してホストコンピュータに伝送する制御手段と、
を備えて構成したことを特徴とする監視システム。
【請求項２】
複合機に突出して設けた支持部と、
前記支持部にカメラ可動用駆動部により可動自在に設けたカメラと、
前記複合機に内蔵されたドラム用駆動源からの駆動力を前記カメラ可動用駆動部に伝達するための駆動力伝達部と、
を備えていることを特徴とする監視システム。
【請求項３】
複合機に突出して設けた支持部と、
前記支持部にカメラ可動用駆動部により可動自在に設けたカメラと、
前記複合機に内蔵されたドラム用駆動源からの駆動力を前記カメラ可動用駆動部に伝達するための駆動力伝達部と、
前記カメラによる撮影によって取得された映像信号をネットワークに接続された複合機に供給するための供給手段と、
前記複合機に供給された前記映像信号を画像データに変換して前記ネットワークを介してホストコンピュータに伝送する制御手段と、
を備えて構成したことを特徴とする監視システム。
【請求項４】
被写体を感知するセンサー部を備え、
前記カメラ用駆動部は、前記センサー部の感知出力によって前記カメラを可動し、前記被写体をとらえる向きに位置させることを特徴とする請求項２または３に記載の監視システム。
【発明の詳細な説明】
【技術分野】
【０００１】
本発明は、カメラで周囲を撮影して撮影画像を画像データとして取得し、これを監視のために再生する監視システムに関する。
【背景技術】
【０００２】
従来、例えば、下記の特許文献１で示すように、画像形成装置に複数個のカメラを設けて画像形成装置の操作者を撮影し、撮影して得られた画像データを一時保存部に一時記憶し、一時記憶された画像データを読出して画像形成装置の画像印刷部から出力する技術が開示されている。これは画像形成装置と一体にカメラを設けて画像形成装置に内蔵された画像合成部、画像印刷部等を用いて画像データが再生できるものである。
【０００３】
【特許文献１】特開２００５−８６３８５号公報（段落〔００３９〕〜段落〔００４３〕）
【発明の開示】
【発明が解決しようとする課題】
【０００４】
しかしながら、上記特許文献１で示す従来技術は、画像形成装置の操作者を撮影するためのカメラが設けられているだけであって、周辺の画像を広く撮影するものでなかった。そのために広範囲の監視用としては利用することができなかった。
【０００５】
そこで、本発明は、上記の問題点に鑑みなされたものであり、カメラによる監視を広範囲に亘って正確に行なうことができ、しかも低コストでそのシステムの構築を可能にした監視システムを提供することを目的とする。
【課題を解決するための手段】
【０００６】
前記課題を解決するために、本願の請求項１に係る監視システムの発明は、
カメラによる撮影によって取得された映像信号をネットワークに接続された複合機に供給するための供給手段（例えば、ケーブル３０）と、
前記複合機に供給された前記映像信号を画像データに変換して前記ネットワークを介してホストコンピュータに伝送する制御手段（例えば、制御部２０５）と、
を備えて構成したことを特徴とする。
【０００７】
また、本願の請求項２に係る監視システムは、
複合機に突出して設けた支持部と、
前記支持部にカメラ可動用駆動部により可動自在に設けたカメラと、
前記複合機に内蔵されたドラム用駆動源からの駆動力を前記カメラ可動用駆動部に伝達するための駆動力伝達部と、
を備えていることを特徴とする。
【０００８】
また、本願の請求項３に係る監視システムの発明は、
複合機に突出して設けた支持部と、
前記支持部にカメラ可動用駆動部により可動自在に設けたカメラと、
前記複合機に内蔵されたドラム用駆動源からの駆動力を前記カメラ可動用駆動部に伝達するための駆動力伝達部と、
前記カメラによる撮影によって取得された映像信号をネットワークに接続された複合機に供給するための供給手段と、
前記複合機に供給された前記映像信号を画像データに変換して前記ネットワークを介してホストコンピュータに伝送する制御手段と、
を備えて構成したことを特徴とする。
【０００９】
また、本願の請求項４に係る発明は、請求項２または３に記載の監視システムに係り、
被写体を感知するセンサー部を備え、
前記カメラ用駆動部は、前記センサー部の感知出力によって前記カメラを可動し、前記被写体をとらえる向きに位置させることを特徴とする。
【発明の効果】
【００１０】
本願の請求項１に係る発明によれば、前記カメラによる撮影によって得られた映像信号は前記供給手段によって前記複合機に供給される。そして、供給された映像信号は前記制御手段により画像データに変換され前記複合機から前記ネットワークを介して前記ホストコンピュータに伝送される。従って、本発明は以下の効果を有する。
第一に、前記カメラによる撮影内容は、ホストコンピュータにおいて必要に応じてモニターによりその内容を把握することができる。そのため、遠隔地での監視が確実に行なえる監視システムを提供できる。
第二に、前記複合機、ネットワーク、ホストコンピュータ等は既存のものを用いることができるため、実質的に前記カメラの出力を前記複合機の入力側に接続するだけでよい。そのため、本発明は低廉なコストでカメラを用いた監視システムを提供することができる。
【００１１】
また、本願の請求項２に係る発明によれば、前記カメラは前記複合機から突出された前記支持部に可動自在に取付けられている。そして、前記カメラは既存の複合機の前記ドラム用駆動源からの駆動力によって作動するようになっている。従って、前記カメラを可動させる駆動源を特別に設ける必要がないので、その構成が低コストで構築された監視システムを提供できる。
【００１２】
また、本願の請求項３に係る発明によれば、前記カメラは前記複合機から突出された前記支持部に可動自在に該複合機に取付けられている。そして、前記カメラは前記駆動力によって複合機の前記ドラム用駆動源からの駆動力によって作動するようになっている。従って、前記カメラを可動させる駆動源を特別に設ける必要がないので、構成が低コストで構築された監視システムを提供できる。
また、前記カメラによる撮影によって得られた映像信号は前記供給手段によって前記複合機に供給される。そして、供給された映像信号は前記制御手段により画像データに変換され、前記複合機から前記ネットワークを介して前記ホストコンピュータに伝送される。そのため、前記カメラによる撮影内容は、ホストコンピュータにおいて必要に応じてモニターによりその内容を把握することができるので、遠隔地での監視を確実に行なえる監視システムを提供できる。
更に、前記複合機、ネットワーク、ホストコンピュータ等は既存のものを用いることができるため、実質的に前記カメラの出力を前記複合機の入力側に接続するだけでよい。従って、その構成が低コストで構築された監視システムを提供できる。
【００１３】
更に、本願の請求項４に係る発明によれば、請求項２または３の効果に加えて、前記カメラ用駆動部が前記センサー部の感知出力によって前記被写体をとらえる向きに前記カメラを可動するので、自動的に確実の前記被写体を撮影することができる監視システムを提供できる。
【発明を実施するための最良の形態】
【００１４】
以下、本発明の具体例を実施例及び図面を用いて詳細に説明する。
【実施例１】
【００１５】
以下、本発明の実施例について図面を参照して説明する。図１は本発明の実施例における監視システムを示すブロック図、図２は本発明の実施例における監視システムのカメラと複合機との関連を示す斜視図、図３は本発明の実施例における監視システムの支持部、カメラ用駆動部等を示す斜視図、図４は本発明の実施例における監視システムの動作を示すフローチャートである。
【００１６】
図１において監視システム１は、監視用のカメラ１０と、カメラ１０の出力側が接続された複合機２０と、カメラ１０と複合機２０との間を接続して映像信号の供給手段を形成するケーブル３０と、複合機２０が接続されたネットワーク４０と、ネットワーク４０を介して複合機２０に接続された遠隔地にあるホストコンピュータ５０と、ホストコンピュータ５０に接続されたモニター６０とから構成されている。全体的には、互いに異なった箇所に設置されている複合機２０がネットワーク４０に複数接続されており、この部分は従前から存在するものである。
【００１７】
複合機２０は、スキャナー２０１と、画像データ等の記憶部２０２と、プリンター２０３と、操作部２０４と、制御部２０５と、ネットワーク４０と接続するインターフェース２０６と、ケーブル３０の一端が接続されている入力端子２０７とを有している。そして、制御部２０５は画像処理回路２０８、制御回路２０９有している。
【００１８】
複合機２０は、複合的な機能を達成するために従前から下記に示す機能を有する。その機能の一例としては、スキャナー２０１で読み込まれた原稿の画像を画像データに変換して一旦、記憶部２０２に記憶し、プリンター２０３でもって出力用紙にプリントアウトすることである。その機能の他の例としては、画像デーをネットワーク４０を介して複合機２０との間で伝送し、ファクシミリ機能として用いることである。更に、その機能の他の例としては、ホストコンピュータ５０から文字データ、画像データをネットワーク４０を介して複合機２０に伝送し、プリンター２０３でプリントアウトをすることである。
【００１９】
カメラ１０で得られた映像信号の処理と制御は、制御部２０５における新たな機能として若干のソフトウェアの付加によって達成できる。
【００２０】
図２において示すように、監視システム１はカメラ１０と複合機２０を備えて構成され、複合機２０にはその背面２１０に設けられた棒状の支持部７０と、該支持部７０の先端にカメラ１０を可動自在に取付けるためのカメラ用駆動部８０と、複数の赤外線センサーを設けて形成したセンサー部９０とが設けられている。
【００２１】
図３において支持部７０、カメラ用駆動部８０、センサー部９０等の構成を詳しく説明する。支持部７０内にはカメラ用駆動部８０に駆動力を伝達する駆動力伝達部１００が設けられている。この駆動力伝達部１００は垂直に配させた回転軸１０１と水平に配された回転軸１０２と回転軸１０１と回転軸１０２とを直交状態で結合する傘歯車１０３とから構成されている。水平の回転軸１０２はクラッチ部１１０を介して複合機２０に内蔵されているドラム駆動源のフライホイール１２０に連結されている。
【００２２】
センサー部９０は夜間に照明がない状態で人の存在を感知するものであり、カメラ用駆動部８０は人の存在を感知した方向にカメラ１０を可動するものである。センサー部９０の感知出力によって、クラッチ部１１０を作動しフライホイール１２０と駆動力伝達部１００とが結合される。また、センサー部９０の感知出力は、フライホイール１２０が回転されていないときにはモータを作動させて回転させる制御用として用いられる。
【００２３】
次に、上述した本発明の実施例による監視システム１の動作について図４のフローチャートを参照して説明する。
【００２４】
ステップＳ１で示すように、センサー部９０が人の存在を感知すると感知出力を送出する。この感知出力により、クラッチ部１１０が作動して駆動力伝達部１００はフライホイール１２０と結合する。この結合によってフライホイール１２０の回転力は駆動力伝達部１００によってカメラ用駆動部８０に伝達される。従って、ステップＳ２において示すように、カメラ用駆動部８０はカメラ１０を可動させる。このカメラ１０の可動動作は感知出力によってカメラ１０の向きを水平に回動する矢印Ａとアングルを変える矢印Ｂとの２方向であり、カメラ１０が被写体をとらえるようにするものである。
【００２５】
次いで、ステップＳ３において示すように、カメラ１０が被写体をとらえたか否かが判別される。ステップＳ３において、カメラ１０が被写体をとらえたと判別されると、ステップＳ４において示すように、カメラ１０で撮影された映像信号は複合機２０に出力され画像処理回路２０８で画像データとして処理され記憶部２０２に記憶される。記憶部２０２に記憶された画像データは、ステップＳ５で示すように制御部２０５からネットワーク４０に送出されホストコンピュータ５０に伝送される。
【００２６】
記憶部２０２に記憶された画像データは、ユーザが操作部２０４を操作することによって記憶部２０２から読み出しプリンター２０３においてプリントアウトすることができる。また、記憶部２０２の画像データは、ホストコンピュ−タ５０からアクセスして読み出しモニター６０で再生、表示することができる。この再生画像の出力はプリンターによって行なうこともできる。
【００２７】
上述したように本発明の実施例によれば、カメラ１０の撮影によって得られた映像信号はケーブル３０によって複合機２０に供給され、画像処理回路２０８によって画像データに変換され、制御回路２０９によって複合機２０からネットワーク４０を介してホストコンピュータ５０に伝送される。従って、カメラ１０による撮影内容は、ホストコンピュータ５０で管理し、必要に応じてモニター６０によりその内容を把握することができる。また、複合機２０、ネットワーク４０、ホストコンピュータ５０等は既存のものを用いることができるため、構成は実質的にカメラ１０の出力を複合機２０の入力側に接続するだけでよい。
【００２８】
また、本発明の実施例によれば、カメラ１０は複合機２０から突出された支持部７０の先端に可動自在に取付けられている。そして、カメラ１０は既存の複合機２０のドラム用駆動源であるフライホイール１２０からの駆動力によって可動するようになっている。従って、カメラ１０を可動させる駆動源を特別に設ける必要がない。カメラ用駆動部８０はセンサー部９０の感知出力によって被写体をとらえる向きにカメラ１０を駆動するので、カメラ１０は自動的に被写体を確実に撮影することができる。
【００２９】
尚、本発明の実施例においては、カメラ１０は複合機２０の駆動源からの駆動力によって可動されているが、本発明はこれに限定されることなくカメラ１０を可動する専用の駆動源を設けるようにしてもよい。
【００３０】
尚、また、本発明の実施例においては、カメラ１０はセンサー部９０の感知出力によって被写体を追従するようにしたが、本発明はこれに限定されることなくカメラ１０が所定の範囲を周期的に走査するように動かして撮影するようにしてもよい。
【００３１】
尚、また、本発明の実施例においては、カメラ１０と複合機２０との間を有線で結合したが、本発明はこれに限定されることなく無線で結合する無線通信手段で結合してもよい。
【００３２】
尚、また、本発明においては、カメラ１０は支持部７０に対して上下に移動して高さが可変されるように構成してもよい。
【図面の簡単な説明】
【００３３】
【図１】図１は、本発明の実施例における監視システムを示すブロック図である。
【図２】図２は、本発明の実施例における監視システムのカメラと複合機との状態を示す斜視図である。
【図３】図３は、本発明の実施例における監視システムの支持部、カメラ取付け部等を示す斜視図である。
【図４】図４は、本発明の実施例における監視システムの動作を示すフローチャートである。
【符号の説明】
【００３４】
１                監視システム
１０              カメラ
２０              複合機
３０              ケーブル
４０              ネットワーク
５０              ホストコンピュータ
６０              モニター
７０              支持部
８０              カメラ用駆動部
９０              センサー部
１００            駆動力伝達部
１０１、１０２    回転軸
１０３            傘歯車
１１０            クラッチ部
１２０            フライホイール
２０１            スキャナー
２０２            記憶部
２０３            プリンター
２０４            操作部
２０５            制御部
２０６            インターフェース
２０７            入力端子
２０８            画像処理回路
２０９            制御回路
２１０            背面
【図１】
2007124265.tif 000003
【図２】
2007124265.tif 000004
【図３】
2007124265.tif 000005
【図４】
2007124265.tif 000006